(57)【要約】【課題】使用者の利き手によらず開蓋を容易に行える汎用性の高さと、摘み片突出による輸送時等の問題を同時に解決したＴＥバンド機能付きの容器蓋を提供すること。【解決手段】  筒状の側壁と、下面を封止する底面と、上面の開口部と、を備えた容器本体に嵌合可能な容器蓋であって、前記容器本体の前記開口部を覆う天面と、前記天面の周縁から略垂直に垂設した垂下壁と、を有し、前記垂下壁は前記容器本体の開口部の口縁部に係合する係合部と、除去可能な開封帯と、を有していて、前記容器蓋の少なくとも１つの隅部は、前記容器蓋に外接する外接矩形の対応する隅部よりも内方に位置する内方隅部であり、前記開封帯を開封する開封用摘み片が前記内方隅部に前記開封帯に連接して形成されていて、前記開封用摘み片は前記外接矩形の隅部より突出しない大きさであり、前記開封用摘み片は左開き用摘み片と右開き用摘み片の２つの摘み片からなることを特徴とする容器蓋。【選択図】図１
2017124862.tif 000002
【特許請求の範囲】
【請求項１】
筒状の側壁と、下面を封止する底面と、上面の開口部と、を備えた容器本体に嵌合可能な容器蓋であって、
前記容器本体の前記開口部を覆う天面と、前記天面の周縁から略垂直に垂設した垂下壁と、を有し、
前記垂下壁は前記容器本体の開口部の口縁部に係合する係合部と、除去可能な開封帯と、を有していて、
前記容器蓋の少なくとも１つの隅部は、前記容器蓋に外接する外接矩形の対応する隅部よりも内方に位置する内方隅部であり、
前記開封帯を開封する開封用摘み片が前記内方隅部に前記開封帯に連接して形成されていて、
前記開封用摘み片は前記外接矩形の隅部より突出しない大きさであり、
前記開封用摘み片は左開き用摘み片と右開き用摘み片の２つの摘み片からなることを特徴とする容器蓋。
【請求項２】
請求項１に記載の容器蓋であって、
前記開封帯は前記垂下壁の下部周縁に脆弱加工線を介して設けられていて、前記開封用摘み片より前記脆弱加工線に沿って前記開封帯を破断除去することにより開封することを特徴とする容器蓋。
【請求項３】
請求項１または２に記載の容器蓋であって、
前記開封用摘み片は、前記開封帯に対して略垂直方向に突出する突出面を有することを特徴とする容器蓋。
【請求項４】
請求項１〜３のいずれか１に記載の容器蓋であって、
前記左開き用摘み片と前記右開き用摘み片の間に指を挿入する指挿入口を有することを特徴とする容器蓋。
【発明の詳細な説明】
【技術分野】
【０００１】
本発明は、筒状の側壁と、下面を封止する底面と、上面の開口部と、を備えた容器本体に嵌合可能な容器蓋に関する。
【背景技術】
【０００２】
洗濯用洗剤や入浴剤等の粉粒体を収納する密閉容器においては、内容物を初回開封時に全て消費することがなく、残りの内容物を再封して保存し、繰り返し開閉して内容物を取り出し使用される。
【０００３】
このような再封可能な密閉容器では密閉状態が既に一度開封されたものなのか未開封のものなのか判断がつきにくい。そのため、例えば店舗等で一度開封して異物を混入した後に再封されても、そのことに気づかずに商品を購入した消費者の体に異常が生じる危険性を有している。
【０００４】
そこで近年では、初回の開封が行われたか否かを明確にするための改ざん防止機能を密閉容器の蓋に備えることが求められており、ＴＥ（タンパーエビデンス）バンド等の改ざん防止機能を有する容器蓋が開発及び上市されてきた（例えば、特許文献１）。
【０００５】
特許文献１の容器の密封用蓋では、略直方体の容器にＴＥバンド機能を有する周縁スカート部を備えた略長方形の蓋が被さっている。当該周縁スカート部を引裂くことにより、当該周縁スカート部の内面で容器の上部開口周縁外面の突稜と接触する内向き突出縁が容器突稜から外れ、蓋を容器から取り外す構成になっている。そして、周縁スカート部を引裂いて除去した蓋は、そのまま容器に被せて使用される。
【０００６】
しかし、特許文献１の蓋における周縁スカート部には、引裂き開始用の引裂きタブが切り欠きの右側に１つしか設けられていない。このような蓋の構造では、右手を使って当該引裂きタブより周縁スカート部を引裂くことは容易にできるが、左手で同様に周縁スカート部を引裂こうとしても力を入れにくく引裂き困難となってしまっていた。このため、左利きの使用者には扱いづらく汎用性が低いという問題があった。
【０００７】
加えて、特許文献１の蓋においては、当該引裂きタブ及び切り欠き上の摘みが蓋の側辺から外方に突出するように設けられているため、当該蓋の開封前において当該蓋の側辺に引っ掛かりが生じ、輸送時等に誤って引裂かれてしまったり、箱等に当該蓋付き容器を複数収納する際に摘み同士がぶつかって収納作業効率が低下したり、外方に突出している分だけ収納スペースが余分に必要となり輸送コストが上昇したりする問題もあった。
【０００８】
そこで、左右の利き手に関係なく容易に開封できるよう汎用性を高めたＴＥバンド機能付きの蓋が提案されてきた（特許文献２）。
特許文献２の蓋付き容器も特許文献１と同様に、略直方体の容器にＴＥバンド機能を有する開封バンドを備えた略長方形のヒンジ蓋が被さっている。そして、当該開封バンドを蓋のヒンジ部分の両側にある開封用摘みから引裂いて使用する構造となっている。
すなわち、開封用摘みが蓋のヒンジ部分の左右両側に１つずつ設けられているため、使用者の利き手が左右どちらであっても容易に開封できる構造の蓋である。
【０００９】
しかし、特許文献２の蓋においても、開封用摘み及びヒンジ部分が蓋の側辺から外方に突出するように設けられており、輸送時等の誤引裂きや収納作業効率の低下、輸送コストの上昇といった問題は解決できていなかった。
【００１０】
蓋側辺から外方への突出に起因する問題を解決する手法として、外方に突出する部分を蓋の側辺ではなく隅部に設けた蓋が提案されてきた（特許文献３）。
特許文献３の密閉容器は、四隅の角を円弧状にした角丸四角形状の蓋にＴＥバンド機能を有する外周立上り片が備えられている。そして、１つの隅部に設けられた摘み片より外周立上り片を引裂いて蓋を開封する構造となっている。
【００１１】
特許文献３の蓋においては、摘み片が円弧状の隅部に設けられているため、蓋に外接する四角形の隅部より外方には突出していない。そのため、輸送時等の誤引裂きや収納作業効率の低下、輸送コストの上昇といった問題は生じない。
しかし、当該摘み片は右方向に引裂くように形成されているため、左利きの使用者には扱いづらく汎用性の低い蓋となってしまっていた。
【００１２】
このように、使用者の利き手によらず開蓋を容易に行うことが可能な汎用性の高さと、ＴＥバンド除去のための摘み片突出による輸送時等の誤引裂きや収納作業効率の低下、輸送コストの上昇といった問題を同時に解決したＴＥバンド機能付きの容器蓋はこれまで提案されてこなかった。
【先行技術文献】
【特許文献】
【００１３】
【特許文献１】特開平１−２５４５６３号公報
【特許文献２】特開２０００−３２７００８号公報
【特許文献３】特許第３１５６９９４号公報
【発明の概要】
【発明が解決しようとする課題】
【００１４】
本発明は上記のような事情に鑑みてなされたもので、使用者の利き手によらず開蓋を容易に行うことが可能な汎用性の高さと、ＴＥ（タンパーエビデンス）バンド除去のための摘み片突出による輸送時等の誤引裂きや収納作業効率の低下、輸送コストの上昇といった問題を同時に解決したＴＥバンド機能付きの容器蓋を提供することを課題とする。
【課題を解決するための手段】
【００１５】
本発明は係る課題に鑑みなされたものであり、本発明の容器蓋は、筒状の側壁と、下面を封止する底面と、上面の開口部と、を備えた容器本体に嵌合可能な容器蓋であって、前記容器本体の前記開口部を覆う天面と、前記天面の周縁から略垂直に垂設した垂下壁と、を有し、前記垂下壁は前記容器本体の開口部の口縁部に係合する係合部と、除去可能な開封帯と、を有していて、前記容器蓋の少なくとも１つの隅部は、前記容器蓋に外接する外接矩形の対応する隅部よりも内方に位置する内方隅部であり、前記開封帯を開封する開封用摘み片が前記内方隅部に前記開封帯に連接して形成されていて、前記開封用摘み片は前記外接矩形の隅部より突出しない大きさであり、前記開封用摘み片は左開き用摘み片と右開き用摘み片の２つの摘み片からなることを特徴とする。
【００１６】
また、本発明の容器蓋の前記開封帯は前記垂下壁の下部周縁に脆弱加工線を介して設けられていて、前記開封用摘み片より前記脆弱加工線に沿って前記開封帯を破断除去することにより開封するようにしても良い。
【００１７】
また、本発明の容器蓋の前記開封用摘み片は、前記開封帯に対して略垂直方向に突出する突出面を有していても良い。
【００１８】
また、本発明の容器蓋は、前記左開き用摘み片と前記右開き用摘み片の間に指を挿入す
る指挿入口を有していても良い。
【発明の効果】
【００１９】
本発明の容器蓋は、容器本体の開口部を覆う天面の周縁から略垂直に垂設した垂下壁に、容器本体の開口部の口縁部に係合する係合部と除去可能な開封帯とを有していることにより、前記開封帯がＴＥバンド機能を奏することが可能となる。すなわち、前記開封帯が除去される前の状態で前記容器蓋を容器本体から分離（開蓋）しようとしても、前記垂下壁が前記容器本体の開口部の口縁部に係合しているため開蓋できず、開蓋するためには前記開封帯を除去しなければならない。よって、本発明の容器蓋の開封帯が除去されているか否かを見るだけで、前記容器蓋が少なくとも一度開蓋されたか否かを判断することが可能となる。これにより、消費者が購入する前の段階での不審物混入等の改ざんを防止することが可能となる。
【００２０】
また、前記容器蓋の少なくとも１つの隅部は、前記容器蓋に外接する外接矩形の対応する隅部よりも内方に位置する内方隅部であり、前記開封帯を開封する開封用摘み片が前記内方隅部に前記開封帯に連接して形成されていて、前記開封用摘み片は前記容器蓋に外接する外接矩形の隅部より突出しない大きさであることにより、輸送時等の誤引裂きや収納作業効率の低下、輸送コストの上昇といった問題は生じない。
【００２１】
また、前記開封用摘み片を前記内方隅部に設けることにより、前記外接矩形の隅部より突出しない範囲で前記開封用摘み片を大きくすることが可能である。また、前記開封用摘み片を隅部に設けたことにより、容器蓋の長辺や短辺に設けた場合に比べ、使用者が開蓋する際に前記開封用摘み片を摘んで前記開封帯を引き剥がし始める動作の最初で力を加え易くなる。
これらにより、使用者が摘みやすく開蓋を容易に行うことができる。
【００２２】
さらに、前記開封用摘み片が左開き用摘み片と右開き用摘み片の２つの摘み片からなることにより、使用者の利き手によらず開蓋を容易に行うことが可能な汎用性の高い容器蓋を提供することが可能となる。
【００２３】
また、本発明の容器蓋の前記開封帯が前記容器蓋の前記垂下壁の下部周縁に脆弱加工線を介して設けられていることにより、使用者が開蓋する際に必要以上の大きな力を必要とせず容易に開蓋を行うことが可能となる。
【００２４】
また、本発明の容器蓋の前記開封用摘み片が、前記開封帯に対して略垂直方向に突出する突出面を有していることにより、開蓋時に使用者が摘みやすい。また、開蓋開始時に前記開封用摘み片を摘んで外方に引き剥がす際の使用者の手指に当たる部分が前記突出面の平面であることにより、使用者の手指を傷つける虞が無い。
【００２５】
また、本発明の容器蓋は、前記左開き用摘み片と前記右開き用摘み片の間に指を挿入する指挿入口を有していることにより、使用者が開蓋時に前記左開き用摘み片若しくは前記右開き用摘み片を摘む際の摘みやすさを向上させることが可能となる。
【図面の簡単な説明】
【００２６】
【図１】本発明の実施形態の容器蓋を模式的に示した説明図である。（ａ）は斜視図、（ｂ）は上方から見た平面図である。
【図２】本発明の実施形態の容器蓋を容器本体に被せた状態を模式的に示した説明図である。
【図３】開封帯を除去した後の本発明の実施形態の容器蓋を容器本体に被せた状態を模式的に示した説明図である。
【発明を実施するための形態】
【００２７】
以下、本発明を実施するための実施形態につき図面を参照して説明する。
【００２８】
容器蓋１は、プラスチック容器や紙製容器若しくはプラスチックと紙の複合容器からなる容器本体１０に被せて密閉する容器蓋であり、容器本体１０の内容物としては、例えば、入浴剤、洗濯用洗剤等の粉粒状のものが挙げられる。
【００２９】
容器本体１０は、筒状の側壁と、下面を封止する底面と、上面の開口部と、を備えていれば良く、当該開口部の口縁部が垂下壁２１の上部内方の係合部（図示せず）と係合するようになっている。当該口縁部は当該係合部との係合を容易にするため、側壁よりも外方に突出した形状となっていることが好ましい。また、容器本体１０を紙製とした場合、当該口縁部は当該係合部との係合が保たれる程度の剛性を有する必要がある。そのため、紙製の容器本体１０の場合には、側壁を延長して先端を何重かに小さく丸め、この丸めた部分を外方に突出させた状態でかしめることにより当該口縁部を形成することが好ましい。また、内容物に応じてバリア性や密封性を付与するために、さらに前記開口部を覆うシール蓋を設けても良い。
【００３０】
容器蓋１の材料は特に限定されないが、一般的な合成樹脂が使用可能であり、ポリエチレン樹脂、ポリプロピレン樹脂等のポリオレフィン系樹脂や、ＰＥＴ樹脂等のポリエステル系樹脂、ナイロン等のポリアミド系樹脂等の熱可塑性樹脂が好適に使用される。
【００３１】
容器蓋１は、図１（ａ）に示すように、四隅の角を円弧状にした角丸四角形状を成す天面２０と、天面２０の周縁から略垂直に垂設した垂下壁２１と、を有しており、垂下壁２１の下部周縁には脆弱加工線３を介して開封帯２２が設けられている。また、垂下壁２１の上部内方には容器本体１０の開口部の口縁部に係合する係合部（図示せず）を有していることにより、開封帯２２が除去される前の容器蓋１を容器本体１０から分離開蓋しようとしても、当該係合部で容器蓋１と容器本体１０が係合しているため開蓋ができないようになっている。また、開封帯２２は、周状に設けられた開封帯２２の一部を切り欠いて形成した指挿入口７と、指挿入口７の左右で開封帯２２の両端となる部分に右開き用摘み片４１と左開き用摘み片４２からなる開封用摘み片４と、を有している。
【００３２】
開封帯２２の材料は特に限定されないが、製造工程を簡略化して製造コストを低くするために容器蓋１と同一材料であることが好ましい。また、開封帯２２は容器本体１０との係合を強固にするため、開封帯２２より上方の容器蓋１に比べ、図１（ａ）に示すように、下方になるほどやや窄まるように形成されていることが好ましい。
脆弱加工線３は、周囲に比べて薄肉になるように形成されていれば良く、形成手法は特に限定されない。例えば、一般的な射出成形金型による成形の他、プレス機で罫刃を押し当てたり、炭酸ガスレーザーを用いたレーザー加工を施したりする方法も採用され得る。
【００３３】
右開き用摘み片４１、指挿入口７、及び左開き用摘み片４２は、容器蓋１の隅部に形成される。このとき、容器蓋１は角丸四角形状を成しているため、図１（ｂ）で示すように、容器蓋１の隅部は容器蓋１に外接する外接矩形５の隅部５１よりも内方に位置する内方隅部６となっている。
右開き用摘み片４１及び左開き用摘み片４２は、内方隅部６に外接矩形５の隅部５１より外方に突出しない大きさ及び形状で、かつ、開封帯２２に対して略垂直方向に突出する突出面を含むように形成される。これにより、容器蓋１付きの容器を持ち運ぶ際の引っ掛かりが生じにくくなるため、輸送時等に誤って引裂かれてしまったり、箱等に容器蓋１付き容器を複数収納する際に摘み同士がぶつかって収納作業効率が低下したり、余分な収納スペースが必要となり輸送コストが上昇したりするような問題が生じない。
【００３４】
ここで、右開き用摘み片４１及び左開き用摘み片４２を内方隅部６に設けることにより、外接矩形５の隅部５１より突出しない範囲であっても使用者が摘みやすくすることが可能になる程度に右開き用摘み片４１及び左開き用摘み片４２を大きくすることが可能である。これにより、開封帯２２の除去を開始する位置が目立って使用者にもすぐに理解できるようになるため、より汎用性の高い容器蓋とすることができる。
【００３５】
また、右開き用摘み片４１及び左開き用摘み片４２を隅部に設けたことにより、容器蓋１の長辺や短辺に設けた場合に比べ、使用者が開蓋する際に右開き用摘み片４１若しくは左開き用摘み片４２を摘んで開封帯２２を引き剥がし始める動作の最初から力を加え易くなる。これにより、開蓋の際に必要以上に大きな力を加える必要がなく、さらに汎用性を高めることが可能となる。
【００３６】
さらに、開封帯２２に対して略垂直方向に突出する突出面を有していることにより、開蓋時に使用者が摘みやすいだけでなく、開蓋開始時に右開き用摘み片４１若しくは左開き用摘み片４２を摘んで外方に引き剥がす際の使用者の手指に当たる部分が前記突出面の平面であることにより、使用者の手指を傷つける虞が無い。
また、必要に応じて、右開き用摘み片４１及び左開き用摘み片４２の外面で使用者の手指に当たる部分に凹凸形状のエンボスを形成することにより、使用者が摘んだ際の滑り止め効果を付与することも可能となる。
【００３７】
なお、本実施形態では、４つの隅部全てが内方隅部６となっている角丸四角形状の容器蓋１としたが、右開き用摘み片４１、指挿入口７、及び左開き用摘み片４２を形成する少なくとも１つの隅部が内方隅部６となっていれば良く、容器本体１０の形状に合わせて適宜設計変更が可能である。同様に、本実施形態における天面２０は２段形状になっているが、これも容器本体１０の内容物や商品販売方針等に合わせて適宜設計変更が可能である。
【００３８】
容器蓋１を最初に開蓋する際には、図２のように開封帯２２が除去されていない状態の容器蓋１であり、開封帯２２を除去して開蓋作業を行う。使用者の利き手が右手の場合、指挿入口７に指（主に親指）を挿入して右開き用摘み片４１を摘み、図２の矢印Ｒで示した方向へ引き剥がすようにして脆弱加工線３に沿って容器蓋１から開封帯２２を除去する。同様に使用者の利き手が左手の場合は、指挿入口７に指（主に親指）を挿入して左利き用摘み片４２を摘み、図２の矢印Ｌで示した方向へ引き剥がすようにして脆弱加工線３に沿って容器蓋１から開封帯２２を除去する。
そして、一度開封帯２２を除去して開蓋した後は、図３のように容器蓋１が天面２０と垂下壁２１だけの状態で容器本体１０の上面開口部に被さっているので、容器蓋１を持ち上げるだけで容器蓋１と容器本体１０との係合を容易に解消することができ、開蓋が可能となる。
【符号の説明】
【００３９】
１・・・容器蓋
２０・・・天面
２１・・・垂下壁
２２・・・開封帯
３・・・脆弱加工線
４・・・開封用摘み片
４１・・・右開き用摘み片
４２・・・左開き用摘み片
５・・・外接矩形
５１・・・外接矩形の隅部
６・・・内方隅部
７・・・指挿入口
１０・・・容器本体
Ｒ・・・右利き使用者の開封帯除去方向
Ｌ・・・左利き使用者の開封帯除去方向
【図１】
2017124862.tif 000003
【図２】
2017124862.tif 000004
【図３】
2017124862.tif 000005